(57)【要約】    【課題】  所望の個所に搬送したり移動したりすることができる可搬式又は移動式の岩盤浴用装置を提供することである。    【解決手段】  下層から順に、第１木質パネル（１２）と、硬質断熱材（１４）と、アルミニウム板（１６）と、ガラス繊維マット（１８）と、第２木質パネル（２０）と、第２木質パネルの上面に敷設されたヒータ（２２）と、第２木質パネル及びヒータの上に塗布されたウレタン樹脂（２４）と、ウレタン樹脂の上に散布された多数のゴム片（２６）と、遠赤外線放射混合体（２８）とを含む層状構造体を備え、層状構造体の周囲にフレーム（３０）が配置されていることを特徴とする。【選択図】  図１
2005087349.tif 000002
【特許請求の範囲】
【請求項１】
可搬式又は移動式の岩盤浴用装置であって、
下層から順に、第１木質パネルと、硬質断熱材と、アルミニウム板と、ガラス繊維マットと、第２木質パネルと、前記第２木質パネルの上面に敷設されたヒータと、前記第２木質パネル及び前記ヒータの上に塗布されたウレタン樹脂と、前記ウレタン樹脂の上に散布された多数のゴム片と、遠赤外線放射混合体とを含む層状構造体を備え、
前記遠赤外線放射混合体が、粉状の黒鉛珪石、粉状のラジウム鉱石、及びセメントを混合したものに水を添加して硬化させることによって形成されており、
前記層状構造体の周囲にフレームが配置されていることを特徴とする装置。
【請求項２】
前記フレームにキャスタ又はキャリアが装着されていることを特徴とする請求項１に記載の装置。
【発明の詳細な説明】
【技術分野】
【０００１】
本発明は一般に、岩盤浴用装置に関する。より詳細には、本発明は、所望の個所に搬送したり移動したりすることができる可搬式又は移動式の岩盤浴用装置に関する。
【背景技術】
【０００２】
放射線を照射する岩盤の周囲に身体を横たえて発汗作用を生じさせ、細胞の活性化などを図る岩盤浴が、人気を博している。従来、岩盤浴用装置は、放射線を照射する鉱石粉をセメントに混入して硬化させることによって形成されている。
【発明の開示】
【発明が解決しようとする課題】
【０００３】
しかしながら、従来の岩盤浴用装置は、鉱石粉が混入したコンクリート塊であるため、極めて重く、所望の個所に搬送したり移動したりするのことが容易ではないという弊害があった。
【０００４】
したがって、本発明は、所望の個所に搬送したり移動したりすることができる可搬式又は移動式の岩盤浴用装置を提供することを目的としている。
【課題を解決するための手段】
【０００５】
本願請求項１に記載の可搬式又は移動式の岩盤浴用装置は、下層から順に、第１木質パネルと、硬質断熱材と、アルミニウム板と、ガラス繊維マットと、第２木質パネルと、前記第２木質パネルの上面に敷設されたヒータと、前記第２木質パネル及び前記ヒータの上に塗布されたウレタン樹脂と、前記ウレタン樹脂の上に散布された多数のゴム片と、遠赤外線放射混合体とを含む層状構造体を備え、前記遠赤外線放射混合体が、粉状の黒鉛珪石、粉状のラジウム鉱石、及びセメントを混合したものに水を添加して硬化させることによって形成されており、前記層状構造体の周囲にフレームが配置されていることを特徴とするものである。
【０００６】
本願請求項２に記載の可搬式又は移動式の岩盤浴用装置は、前記請求項１の岩盤浴用装置において、前記フレームにキャスタ又はキャリアが装着されていることを特徴とするものである。
【発明の効果】
【０００７】
本発明の岩盤浴用装置では、遠赤外線混合体２８の層を比較的薄くすることができ、これにより、装置自体を軽量化することができるので、所望の個所に搬送したり移動したりすることが可能になる。
【発明を実施するための最良の形態】
【０００８】
次に図面を参照して、本発明の好ましい実施の形態に係る岩盤浴用装置について詳細に説明する。図１は、本発明の好ましい実施の形態に係る岩盤浴用装置を示した平面図、図２（ａ）は、図１の線２ａ−２ａに沿った断面図である。図１において全体として参照符号１０で示される本発明の好ましい実施の形態に係る岩盤浴用装置は、図２（ｂ）に最も良く示されるように、下層から順に、第１木質パネル１２と、硬質断熱材１４と、アルミニウム板１６と、ガラス繊維マット１８と、第２木質パネル２０とを備えている。
【０００９】
第１及び第２木質パネル１２、２０は、支持部材としての役目を果たしている。また、硬質断熱材１４は、詳細には後述するように、熱が下部に伝達されずに上部にのみ伝達されるようにするために設けられている。硬質断熱材１４としては、例えば、スタイロフォーム（登録商標）等が用いられる。また、アルミニウム板１６は、遠赤外線を下部に透過させずに上部にのみ透過させるために設けられており、ガラス繊維マット１８は、マイナスイオンを下部に透過させずに上部にのみ透過させるために設けられている。
【００１０】
第２木質パネル２０の上面には、ヒータ２２が敷設され、更にその上に、ウレタン樹脂２４が塗布され、ウレタン樹脂２４の上には、多数のゴムチップ（ゴム片）２６が散布されている。
【００１１】
ヒータ２２が敷設された第２木質パネル２０の上面には、遠赤外線放射混合体２８が配置されている。遠赤外線放射混合体２８は、粉状の黒鉛珪石、粉状のラジウム鉱石、及びセメントを混合したものに水を添加して硬化させたものである。黒鉛珪石、ラジウム鉱石、及びセメントの混合比率は任意でよい。なお、遠赤外線放射混合体２８がゴム片２６が散布されたウレタン樹脂２４の上に配置されているので、遠赤外線放射混合体２８の剥離が極力回避される。
【００１２】
上述の層状構造体（即ち、第１木質パネル１２、硬質断熱材１４、アルミニウム板１６、ガラス繊維マット１８、第２木質パネル２０、ヒータ２２、遠赤外線放射混合体２８）の周囲には、矩形のフレーム３０が配置されている。フレーム３０は典型的には、木製部材で形成されている。なお、好ましくは、フレーム３０の対向する短辺には、岩盤浴用装置１０を搬送する際に持ち手となる凹部３０ａが設けられている。また、フレーム３０には、層状構造体を支持するための根太部材３０ｂが設けられている。
【００１３】
以上のように構成された岩盤浴用装置１０の使用について説明する。ヒータ２２に通電すると、ヒータ２２の発熱によって生じた熱が遠赤外線放射混合体２８に加えられ、これにより黒鉛珪石及びラジウム鉱石から遠赤外線とマイナスイオンが放出される。このように作用する岩盤浴用装置１０に身体を横たえると、身体に遠赤外線とマイナスイオンが照射されるので、血液や細胞が活性化されて新陳代謝が促進され、老廃物や体脂肪が汗とともに排出されるので、腰痛、冷え性、肩凝り、更年期障害などへの効果を期待することができる。なお、岩盤浴用装置１０に付属する温度調節器３２によってヒータ２２の温度を調製して遠赤外線とマイナスイオンの放出量を調節するのがよい。温度調節器３２は、公知のものを使用してよい。
【００１４】
本発明は、以上の発明の実施の形態に限定されることなく、特許請求の範囲に記載された発明の範囲内で、種々の変更が可能であり、それらも本発明の範囲内に包含されるものであることはいうまでもない。
【００１５】
例えば、前記実施の形態において示されたフレーム３０に、キャスタやキャリア（図示せず）を装着して、より容易な移動が可能になるように構成してもよい。
【図面の簡単な説明】
【００１６】
【図１】本発明の好ましい実施の形態に係る岩盤浴用装置を示した平面図である。
【図２】（ａ）は図１の線２ａ−２ａに沿った断面図、（ｂ）は（ａ）の部分ｂの拡大断面図である。
【図３】図１の線３−３に沿った断面図である。
【符号の説明】
【００１７】
１０  岩盤浴用装置
１２  第１木質パネル
１４  硬質断熱材
１６  アルミニウム板
１８  ガラス繊維マット
２０  第２木質パネル
２２  ヒータ
２８  遠赤外線放射混合体
３０  フレーム
【図１】
2005087349.tif 000003
【図２】
2005087349.tif 000004
【図３】
2005087349.tif 000005